(57)【要約】【課題】記録部材後端の破損をなくし、破損した記録部材破片による機内散乱を抑制すると共に、後方駆動部から記録部材が離れた時、空中でのバタツキ及びそのバタツキによる記録部材に転写された未定着画像を乱れ発生させない記録部材を排出する搬送方法と記録装置を提供する。【解決手段】検出手段から出力された記録部材無しの信号を受けた後、用紙排出信号により自動で装置内より用紙排出を行なう記録部材搬送方法において、前記記録部材後端が後方の搬送駆動部から離れる直前までに、該後方の搬送駆動部に接している前記記録部材にかかる前方からの張力が前記記録部材の破断応力以下になるように前記前方の搬送駆動部と後方の搬送駆動部とに速度差を設けた。【選択図】  図１
2004203569.tif 000002
【特許請求の範囲】
【請求項１】
少なくとも長尺に連続した記録部材を搬送する手段と、前記記録部材が無くなったことを検出する検出手段とを有し、前記記録部材を搬送し前方に位置する搬送駆動部と後方の搬送駆動部間を結ぶ記録部材搬送パスに対し、駆動部に接することなく記録部材を揺動自在に支持する機構を有し、前記検出手段から出力された記録部材無しの信号を受けた後、用紙排出信号により自動で装置内より用紙排出を行なう記録部材搬送方法において、前記記録部材後端が後方の搬送駆動部から離れる直前までに、該後方の搬送駆動部に接している前記記録部材にかかる前方からの張力が前記記録部材の破断応力以下になるように前記前方の搬送駆動部と後方の搬送駆動部とに速度差を設けたことを特徴とする記録部材搬送方法。
【請求項２】
前記前方の搬送駆動部と後方の搬送駆動部との速度差は、前記前方の搬送駆動部を減速することにより行うことを特徴とする請求項１記載の記録部材搬送方法。
【請求項３】
膳雄記録部材後端が、前記後方の搬送駆動部から離れる部分から１ｃｍ〜１０ｃｍの長さを残した時までに、前記後方の搬送駆動部に接している前記記録部材にかかる前方からの張力が前記記録部材の破断応力以下になるようにすることを特徴とする請求項１または２記載の記録部材搬送方法。
【請求項４】
請求項１、２または３のいずれかに記載の記録部材搬送方法を搭載したことを特徴とする記録装置。
【発明の詳細な説明】
【０００１】
【発明の属する技術分野】
本発明は、連続紙などの長尺に連続した記録部材に、周知の電子写真法、静電印刷法、静電記録法等の記録部材搬送方法及び記録装置に関する。
【０００２】
【従来の技術】
従来の技術を、印刷もしくは記録法のうち、例えば電子写真法の概略構成を図１で説明する。
【０００３】
搬送系上に残った記録部材である用紙を自動にて電子写真印刷装置本体から用紙受１７へ搬送排出させる方法として、従来は搬送前方の駆動部である加熱ローラ１１と加圧ローラ１２の接触による挟持搬送と、後方の駆動部であるトラクタ８及び他の搬送系の速度を同一にして行なっていた。自動による用紙排出時、搬送系が同一速度で搬送するとトナー像が転写された最終頁内の後端には転写されたトナー像の未定着部がまだ残っている為、バッフアの急激な跳ね上がりにより用紙上の未定着トナー像が飛び散りを起こし、印刷品質を低下させるという問題があった。
【０００４】
また、用紙後端がトラクタ８から離れる瞬間に、用紙端面に大きな張力がかかり用紙後端部分を破損して用紙破片が機内に散乱するという問題があった。用紙後端の破損は、用紙の厚さが薄くなればなるほど発生しやすく、また搬送速度が高速になればなるほど発生しやすくなりその破損の程度は大きくなる。特に、用紙の両側端のみを挟持して搬送している搬送系においては用紙後端部の破損は顕著になり、用紙破片の機内散乱が激しくなる。
【０００５】
これら問題に対し、用紙排出時にバッファの動きを止めて用紙跳ね上がりを押さえ、トナー像の飛び散りを抑制して画像品質の低下を防いでいるが、用紙後端の破損に関しては考慮されていなかった（例えば特許文献１参照。）。
【特許文献１】
特開２０００−１３２０４１号公報
【０００６】
【発明が解決しようとする課題】
本発明は、印刷終了時に上記用紙排出のために自動にて電子写真印刷装置本体から、用紙を用紙受１７へ搬送排出させる時に発生する上記記載の画像品質低下の抑制及び用紙端の破損による機内散乱をなくす事にあり、すなわち、最終印刷頁内での文字ぶれ及びトナー飛散等による画像品質に障害がなく、かつ、用紙後端の破損で発生する用紙破片による機内散乱を起こしにくい自動用紙排出の搬送方法及び記録装置を提供することを課題とする。
【０００７】
【課題を解決するための手段】
上記課題は、少なくとも長尺に連続した記録部材を搬送する手段と、前記記録部材が無くなったことを検出する検出手段とを有し、前記記録部材を搬送し前方に位置する搬送駆動部と後方の搬送駆動部間を結ぶ記録部材搬送パスに対し、駆動部に接することなく記録部材を揺動自在に支持する機構を有し、前記検出手段から出力された記録部材無しの信号を受けた後、用紙排出信号により自動で装置内より用紙排出を行なう記録部材搬送方法において、前記記録部材後端が後方の搬送駆動部から離れる直前までに、該後方の搬送駆動部に接している前記記録部材にかかる前方からの張力が前記記録部材の破断応力以下になるように前記前方の搬送駆動部と後方の搬送駆動部とに速度差を設けることによって解決される。
【０００８】
【発明の実施の形態】
以下、本発明の一実施例を図１の印刷装置の概略構成図を用いて説明する。
【０００９】
感光体１は、帯電器２により所定電圧に均一に帯電され上位装置（図示せず）から送信された画像情報を光源３により照射ビームを放射させ照射ビームを受けて感光体１には静電潜像が形成され、この静電潜像を現像機４にて樹脂及び着色剤、帯電制御剤、流動性向上剤等からなるトナーを用いて現像し可視像とする。感光体１上にトナーにより可視像化された画像を、転写器５により記録部材である用紙１４上に転写する。その後、感光体表面は、除電器６により表面の電荷が除去され、クリーニング機構７により感光体１表面に残留したトナーが取り除かれ、再度帯電、露光、現像と工程が繰り返される。
【００１０】
トナー像を転写された用紙１４は、後方の搬送駆動部であるトラクタ８により前方へ搬送されバッファ９、予熱器１０を経て前方の搬送駆動部である加熱ローラ１１と加圧ローラ１２が接触した加熱点より加熱加圧作用を受けながら挟持搬送され、転写されたトナー像は用紙１４に定着される。定着された用紙１４は、テンションローラ１３により電子写真印刷装置本体から用紙受１７へ順次排出される。
【００１１】
バッファ９は、安定した用紙搬送を行なうために、トラクタ８と加熱ローラ１１とで発生する速度差を吸収している。予熱器１０は、用紙１４上に定着されるトナーを、より安定した定着とするために設けられている。
【００１２】
なお、トラクタ８は用紙１４上に転写されたトナー画像を乱さないように、用紙１４の両端を保持して用紙１４を搬送している。
【００１３】
用紙切れ検出センサ１６は、印刷用紙が無くなった場合、上位装置（図示せず）から送信された画像情報の停止と用紙走行を停止させるために設置されている。
【００１４】
本発明においては、前記検出手段から出力された記録部材無しの信号を受けた後、用紙排出信号により自動で装置内より用紙排出を行なう工程に於いて、記録部材後端が後方の搬送駆動部から離れる直前までに、後方の搬送駆動部に接している記録部材にかかる前方からの張力が記録部材の破断応力以下になるように排出方向前方の搬送駆動部と後方の搬送駆動部とに速度差を設けている。この速度差は、排出方向前方の搬送駆動部と後方の搬送駆動部との速度差は、前方の搬送駆動部を後方の搬送駆動部より減速することに行われる。
【００１５】
更に、記録部材後端が、後方の搬送駆動部から離れる部分から１ｃｍ〜１０ｃｍの長さを残した時までに、後方の搬送駆動部に接している記録部材にかかる前方からの張力が記録部材の破断応力以下になるようにしている。より詳しく説明すると、記録部材後端が後方駆動部から離れる部分から１ｃｍ〜１０ｃｍの長さを残した時、前方駆動部からの張力が零以下になるように排出方向前方の搬送駆動部と後方の搬送駆動部に速度差を設けている。
【００１６】
より好ましくは、記録部材後端が後方駆動部から離れる部分から１．５ｃｍ〜７ｃｍの長さを残した時に前方からの張力を零以下にするのが良い。残す長さが１ｃｍ未満であると、速度差が正確に取れない恐れがあるため効果が薄れる。また、１０ｃｍを超えると後方駆動部から離れた記録部材の空中でのバタツキが大きくなり記録部材の走行が乱れると同時に、記録部材に転写された未定着画像を乱れさせる恐れがある。
【００１７】
記録部材の後端確認には、用紙切れ検出センサのほかに用紙後端を検知するセンサをトラクタ８の感光体に設けて、搬送駆動系を制御しても良い。また、既設置の用紙切れ検出センサを併用して用いても何ら問題はない。また、用紙後端を検知センサで検知した後、搬送駆動系に上記条件を満足する適度な速度差を与える方法としては、前方の搬送駆動部の駆動源としてとしてステッピングモータ等を使用して公知の技術で実現可能である。
実施例１
トッパン・フオームズ（株）製のＮＩＰストックフオーム紙（幅１５インチ、５５ｋｇ連量連続紙）を用い、図１に概略を示す連続紙プリンタ（１１２枚／分：Ａ４相当）（日立工機（株）製）にトラクタ８の感光体側１に用紙後端部検出センサを取付けて用紙後端を確認し、用紙搬送駆動部トラクタ８の用紙が離れる部分から用紙後端部が手前３ｃｍの時に、搬送方向（定着部）からの張力がなくなるように搬送前方の定着部の挟持搬送する搬送速度を制御し、後方のトラクタ８との速度差を設けて用紙を自動搬送し用紙受に排出した。なお、トラクタ８は未定着画像を乱さないよう、用紙の両側端のみを挟んで搬送している。
【００１８】
排出された用紙の後端を確認した結果、後端部分の破損は見られなかった。また、用紙切れ検出センサにより停止して未定着画像が乗っていた部分についても、画像乱れが発生している様子はなく画質低下はなかった。また定着強度も遜色なかった。
実施例２〜６
実施例１と同様の連続紙プリンタ及び方法を用いて、用紙搬送駆動部トラクタ８の用紙が離れる部分から用紙後端部が手前１、２、７、９、１０ｃｍとなるようにして、用紙幅、用紙連量を変えて検討した結果を表１に示す。何れも良好な結果が得られた。
比較例１〜５
比較例の結果を同様に表１に示す。
【００１９】
比較例１には速度差を設けず検討した結果を、比較例２から５には実施例１と同様の方法を用い、用紙搬送駆動部トラクタ８の用紙が離れる部分から用紙後端部が手前０．５、１１、１２ｃｍとなるようにして、用紙幅、用紙連量を変えて検討した結果を示す。
【００２０】
【表１】
2004203569.tif 000003
【００２１】
表１の評価結果から分かるように本発明の方法は、搬送前方の定着部の挟持搬送する搬送速度を制御し後方のトラクタ８との速度差を設けて、用紙搬送駆動部トラクタ８の用紙が離れる部分から用紙後端部が手前１〜１０ｃｍの時に、搬送前方（定着部）からの張力を零以下になるように相互の搬送速度を制御することにより、用紙後端部の破損がなく機内汚染を防ぎ、画像乱れもない良好な結果が得られる。
【００２２】
また、比較例に示すように本範囲を離脱すると用紙後端が破損し、機内汚染の発生及び用紙走行の乱れが生じ、画像乱れが発生する。
【００２３】
【発明の効果】
本発明によれば、最終印刷頁内での文字ぶれ及びトナー飛散等による画像品質に障害がなく、かつ、用紙後端の破損で発生する用紙破片による機内散乱を起こしにくい自動用紙排出の搬送方法、搬送装置を提供することができる。
【図面の簡単な説明】
【図１】本発明の印刷装置の概略構成図。
【符号の説明】
８はトラクタ、９はバッファ、１１は加熱ロール、１２は加圧ロール、１４は用紙、１６は用紙切れ検出センサである。
【図１】
2004203569.tif 000004